【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
埋め込み型デバイスであって、
当該埋め込み型デバイスに電力を供給する超音波を受信し、トリガー信号をエンコードするよう構成される超音波トランスデューサ、
組織との電気通信を行い、トリガー信号に対する当該組織への電気パルスを発するよう構成される第１電極および第２電極、並びに、
エネルギー貯蔵回路を含む集積回路を備えている、埋め込み型デバイス。
【請求項２】
上記電気パルスは、電流のパルスである、請求項１に記載の埋め込み型デバイス。
【請求項３】
上記電気パルスは、電圧のパルスである、請求項１に記載の埋め込み型デバイス。
【請求項４】
上記第１電極および上記第２電極は、上記組織の内部にあるか、上記組織と接している、請求項１〜３のいずれか一項に記載の埋め込み型デバイス。
【請求項５】
上記集積回路は、デジタル回路を備える、請求項１〜４のいずれか一項に記載の埋め込み型デバイス。
【請求項６】
上記集積回路は、上記第１電極および上記第２電極を作動させるよう構成される混合信号集積回路を備えている、請求項１〜５のいずれか一項に記載の埋め込み型デバイス。
【請求項７】
上記集積回路は、エネルギー貯蔵回路を含む集積回路を備えている、請求項１〜６のいずれか一項に記載の埋め込み型デバイス。
【請求項８】
上記超音波トランスデューサおよび上記集積回路を備えている本体を備え、当該本体の最大寸法の長さが約５ｍｍ以下である、請求項１〜７のいずれか一項に記載の埋め込み型デバイス。
【請求項９】
非応答型リフレクタを備える、請求項１〜８のいずれか一項に記載の埋め込み型デバイス。
【請求項１０】
上記組織は、筋肉組織、器官または神経組織である、請求項１〜９のいずれか一項に記載の埋め込み型デバイス。
【請求項１１】
上記組織は、末梢神経系の一部または中枢神経系の一部である、請求項１〜１０のいずれか一項に記載の埋め込み型デバイス。
【請求項１２】
上記組織は、骨格筋、平滑筋または心筋である、請求項１〜１０のいずれか一項に記載の埋め込み型デバイス。
【請求項１３】
３つ以上の電極を備える、請求項１〜１２のいずれか一項に記載の埋め込み型デバイス。
【請求項１４】
上記集積回路は、アナログ・デジタル変換器（ＡＤＣ）を備える、請求項１〜１３のいずれか一項に記載の埋め込み型デバイス。
【請求項１５】
上記超音波トランスデューサを流れる電流を変調するよう構成される変調回路を備える、請求項１〜１４のいずれか一項に記載の埋め込み型デバイス。
【請求項１６】
変調された上記電流は、情報をエンコードし、上記超音波トランスデューサは、当該情報をエンコードしている超音波を発するよう構成される、請求項１５に記載の埋め込み型デバイス。
【請求項１７】
上記情報は、上記埋め込み型デバイスにより発された電気パルスを確認する信号、上記エネルギー貯蔵回路に貯蔵されたエネルギーの量を示す信号、または検出されたインピーダンスを含む、請求項１６に記載の埋め込み型デバイス。
【請求項１８】
上記埋め込み型デバイスは、上記変調回路を作動させるよう構成されるデジタル回路を備える、請求項１５〜１７のいずれか一項に記載の埋め込み型デバイス。
【請求項１９】
上記デジタル回路は、上記変調回路にデジタル化信号を送信するよう構成される、請求項１８に記載の埋め込み型デバイス。
【請求項２０】
上記デジタル化信号は、固有の埋め込み型デバイス識別子を含む、請求項１９に記載の埋め込み型デバイス。
【請求項２１】
上記超音波トランスデューサおよび上記集積回路を備えている本体を備え、当該本体は体積が約５ｍｍ３以下である、請求項１〜２０のいずれか一項に記載の埋め込み型デバイス。
【請求項２２】
上記超音波トランスデューサは、１つ以上の超音波トランスデューサを備える呼びかけ機からの超音波を受信するよう構成される、請求項１〜２１のいずれか一項に記載の埋め込み型デバイス。
【請求項２３】
上記超音波トランスデューサは、バルク圧電トランスデューサ、圧電マイクロマシン超音波トランスデューサ（ＰＭＵＴ）、または容量性マイクロマシン超音波トランスデューサ（ＣＭＵＴ）である、請求項１〜２２のいずれか一項に記載の埋め込み型デバイス。
【請求項２４】
上記埋め込み型デバイスは対象に埋め込まれる、請求項１〜２３のいずれか一項に記載の埋め込み型デバイス。
【請求項２５】
上記対象はヒトである、請求項２４に記載の埋め込み型デバイス。
【請求項２６】
生体適合性物質によって少なくとも部分的に被包されている、請求項１〜２５のいずれか一項に記載の埋め込み型デバイス。
【請求項２７】
上記第１電極および上記第２電極の少なくとも一部が生体適合性物質によって被包されている、請求項２６に記載の埋め込み型デバイス。
【請求項２８】
システムであって、
請求項１〜２７のいずれか一項に記載の１つ以上の埋め込み型デバイスおよび当該１つ以上の埋め込み型デバイスに超音波を送信するように構成されている１つ以上の超音波トランスデューサを備え、
上記超音波は上記１つ以上の埋め込み型デバイスに電力を供給する、システム。
【請求項２９】
上記超音波はトリガー信号をエンコードしている、請求項２８に記載のシステム。
【請求項３０】
複数の埋め込み型デバイスを備えている、請求項２８または２９に記載のシステム。
【請求項３１】
上記呼びかけ機は、送信される超音波をビームステアリングして、該送信される超音波を、上記複数の埋め込み型デバイスの第１部分または上記複数の埋め込み型デバイスの第２部分に交互に集中させるよう構成される、請求項３０に記載のシステム。
【請求項３２】
上記呼びかけ機は、少なくとも２つの埋め込み型デバイスから超音波後方散乱を同時に受信するよう構成される、請求項３０に記載のシステム。
【請求項３３】
上記呼びかけ機は、時間分割多重化、空間多重化、または周波数多重化を用いて、上記複数の埋め込み型デバイスに超音波を送信するか、上記複数の埋め込み型デバイスから超音波後方散乱を受信するよう構成される、請求項３０に記載のシステム。
【請求項３４】
上記呼びかけ機は、対象によって着用可能であるよう構成される、請求項２８から３３のいずれか一項に記載のシステム。
【請求項３５】
クローズドループシステムであって、
（ａ）信号を検知するよう構成される第１デバイス；
（ｂ）信号をエンコードする超音波後方散乱を受信し、かつトリガー信号をエンコードする超音波を発信するよう構成される、１つ以上の超音波トランスデューサを有する呼びかけ機；および
（ｃ）トリガー信号に応答して、電気パルスを発するよう構成される第２デバイス
（ここで、前記第２デバイスは、埋め込み可能であり、第２デバイスに電力を供給する超音波を受信し、かつトリガー信号をエンコードするよう構成される、超音波トランスデューサ；
組織と電気通信し、トリガー信号に応答して、電気パルスを発するよう構成される第１電極および第２電極；および
エネルギー貯蔵回路を有する集積回路、を含む）
を有する、クローズドループシステム。
【請求項３６】
上記信号は電気生理学的パルス、温度、分子、イオン、ｐＨ、圧力、ひずみまたは生体インピーダンスである、請求項３５に記載のシステム。
【請求項３７】
前記第１デバイスは埋め込み型である、請求項３５または３６に記載のシステム。
【請求項３８】
上記第１デバイスが、
信号を検知するよう構成されるセンサ；
検知された信号に基づき、電流を変調するよう構成される変調回路を有する集積回路、および
変調電流に基づき、組織からの検知された信号をエンコードする超音波後方散乱を発するよう構成される超音波トランスデューサ、を有する、請求項３５〜３７のいずれか一項に記載のシステム。
【請求項３９】
前記センサは第２組織と電気通信するよう構成される第１電極および第２電極を備える、請求項３８に記載のシステム。
【請求項４０】
前記第１組織および前記第２組織は同じ組織である、請求項３９に記載のシステム。
【請求項４１】
前記第１組織および前記第２組織は異なる組織である、請求項３９に記載のシステム。
【請求項４２】
前記第２デバイスの前記第１電極および前記第２電極は、上記組織の内部にあるか、上記組織と接している、請求項３８〜４１のいずれか一項に記載のシステム。
【請求項４３】
前記第２デバイスの前記集積回路はデジタル回路を含む、請求項３８〜４２のいずれか一項に記載のシステム。
【請求項４４】
前記第２デバイスの前記集積回路は、上記第１電極および上記第２電極を作動させるよう構成される混合信号集積回路を備えている、請求項３８〜４３のいずれか１項に記載のシステム。
【請求項４５】
上記集積回路は、エネルギー貯蔵回路を含む電源回路を備えている、請求項３８〜４４のいずれか一項に記載のシステム。
【請求項４６】
上記組織は、筋肉組織、器官または神経組織である、請求項３８〜４５のいずれか一項に記載のシステム。
【請求項４７】
上記第１デバイスおよび上記第２デバイスは対象に埋め込まれる、請求項３８〜４６のいずれか一項に記載のシステム。
【請求項４８】
上記対象はヒトである、請求項４７に記載のシステム。
【請求項４９】
クローズドループシステムであって、
（ａ）生理的信号を検出、およびトリガー信号に応答して、電気パルスを発するよう構成された埋め込み可能なデバイス
（ここで、前記埋め込み可能なデバイスは、生理的信号を検出するよう構成されたセンサ；
前記埋め込み可能なデバイスに電力を供給する超音波を受信し、かつトリガー信号をエンコードし、かつ変調された電流に基づく生理的信号に関係した情報をエンコードして、超音波後方散乱を放出するよう構成される、超音波トランスデューサ；
組織と電気通信し、トリガー信号に応答して、電気パルスを発するよう構成される第１電極および第２電極；および
エネルギー貯蔵回路を有する集積回路、を含む）；および
（ｂ）上記信号をエンコードする超音波後方散乱を受信し、かつトリガー信号をエンコードする超音波を発信するよう構成される、１つ以上の超音波トランスデューサを有する呼びかけ機
を有する、クローズドループシステム。
【請求項５０】
上記生理的信号が電気生理学的パルス、温度、分子、イオン、ｐＨ、圧力、ひずみまたは生体インピーダンスである、請求項４９に記載のシステム。
【請求項５１】
コンピュータシステムであって、
１つ以上の超音波トランスデューサを有する呼びかけ機と、
１つ以上のプロセッサと、
１つ以上のプロセッサによって実行されるように構成された１つ以上のプログラムを保存するコンピュータにより読取可能な非一時的記憶媒体と、を備え、
上記１つ以上のプログラムが、
埋め込み型デバイスが、組織に電気信号を発するように合図するトリガー信号をエンコードする超音波を発するように呼びかけ機を作動させる命令および、
前記呼びかけ機中の１つ以上の超音波トランスデューサに対する、前記第１埋め込み型デバイスまたは前記第２埋め込み型デバイスの位置または動きを測定するための命令を含む、コンピュータシステム。
【請求項５２】
前記呼びかけ機が、検知された生理学的信号に応答して、トリガー信号をエンコードする超音波を発するように作動する、請求項５１に記載のコンピュータシステム。
【請求項５３】
前記生理学的信号が、電気生理学的パルス、温度、分子、イオン、ｐＨ、圧力、ひずみ、または生体インピーダンスを含む、請求項５２に記載のコンピュータシステム。
【請求項５４】
前記１つ以上のプログラムが、第２埋め込み型デバイスから発せられる生理学的信号をエンコードする超音波後方散乱に基づき、生理学的信号を検知するための命令を含む、請求項５２または５３に記載のコンピュータシステム。
【請求項５５】
１つ以上の埋め込み型デバイスにおいて超音波を受信する工程；
超音波からのエネルギーを、エネルギー貯蔵回路を充電する電流に変換する工程；
前記１つ以上の埋め込みデバイスにおいて超音波にエンコードされるトリガー信号を受信する工程；および
トリガー信号に応答して、組織を刺激する電気パルスを発する工程、を含む、組織を電気的に刺激する方法。
【請求項５６】
前記トリガー信号が、検知された生理学的信号に応答して送信される、請求項５５に記載の方法。
【請求項５７】
生理学的信号を検知するよう構成される１つ以上の埋め込み型デバイスにおいて超音波を受信する工程；
前記超音波からのエネルギーを、変調回路を流れる電流に変換する工程；
生理学的信号を検知する工程；
検知された前記生理学的信号に基づき前記電流を変調する工程；
変調された前記電流を、検知された前記生理学的信号に関する情報をエンコードする超音波後方散乱に変換する工程；および
前記超音波後方散乱を受信するよう構成される１つ以上のトランスデューサを有する呼びかけ機に、超音波後方散乱を発する工程；
前記呼びかけ機から、組織に電気パルスを発するよう構成される１つ以上の埋め込み型デバイスに、超音波を発する工程；
電気パルスを発するよう構成される１つ以上の埋め込み型デバイスに前記呼びかけ機から発せられる超音波のエネルギーを、エネルギー貯蔵回路を充電する電流に変換する工程；
前記呼びかけ機からのトリガー信号をエンコードする超音波を発する工程；
前記電気パルスを発するよう構成される前記１つ以上の埋め込み型デバイスにおいて、トリガー信号を受信する工程；および
前記トリガー信号に応答して、組織を刺激する電気パルスを発する工程、を含む、組織を刺激する方法。
【請求項５８】
前記生理学的信号が、電気生理学的パルス、温度、分子、イオン、ｐＨ、圧力、ひずみ、または生体インピーダンスを含む、請求項５６または５７に記載の方法。
【請求項５９】
上記組織は、筋肉組織、器官または神経組織である、請求項５５〜５８のいずれか一項に記載の方法。
【請求項６０】
１つ以上の埋め込み型デバイスを対象に埋め込む工程を含む、請求項５５〜５９のいずれか一項に記載の方法。
【請求項６１】
上記対象はヒトである、請求項６０に記載の方法。
【請求項６２】
前記１つ以上の埋め込み型デバイスの位置または動きを測定する工程を含む、請求項５５〜６１のいずれか一項に記載の方法。